(57)【特許請求の範囲】
【請求項１】
ケース内部に設けた注射器を昇降自在に保持する注射器の保持手段と、注射器の注射針に接触して注射針を溶解する電極装置と、前記電極装置に注射針の溶解電流を供給する電流供給手段を備えた注射針溶解処理装置において、
前記電極装置を第１電極ローラーと第２電極ローラーからなる一対の電極ローラーによって構成し、前記第１電極ローラーは、その表面が前記注射器の保持手段の挿通孔を通過して下降する注射針の下端が接触する位置に配置され、第２電極ローラーは、第１電極ローラーの側方下方に一定間隔を有し、注射針の下端が接触する位置に配置されていて、
注射器を押し下げると、注射針は、第１電極ローラーと接触状態を保ちながら第２電極ローラーに接触すると共に第１電極ローラーと第２電極ローラーを回転させながら下降することを特徴とする注射針溶解処理装置。
【請求項２】
前記一対の電極ローラーのそれぞれにギヤを取り付けて、このギヤを互いに噛合させたことを特徴とする請求項１記載の注射針溶解処理装置。
【請求項３】
前記一対の電極ローラーのギヤの一方又は両方に、ギヤの逆転防止機構を取り付けたことを特徴とする請求項２記載の注射針溶解処理装置。
【請求項４】
前記電極装置に注射針の溶解電流を供給する電流供給手段に過電流防止機構を設けたことを特徴とする請求項１、２、３記載の注射針溶解処理装置。
【請求項５】
ケース内部に設けた注射器の保持手段と、注射器の注射針に接触して注射針を溶解する電極装置と、前記電極装置に注射針の溶解電流を供給する電流供給手段を備えた注射針溶解処理装置において、
前記注射器の保持手段が注射器を昇降可能に保持することを特徴とする注射針溶解処理装置。
【発明の詳細な説明】
【技術分野】
【０００１】
本発明は、使用済みの注射針に電流を通電して、効率よく安全に溶解処理する注射針溶解処理装置に関する。
【背景技術】
【０００２】
従来より、使用済みの注射針は、そのまま回収容器に収容して、その後所定の焼却場所で焼却処理する方法が行われていたが、この方法では、誤って注射針を手や指に刺して病原菌に感染する事故が発生する恐れがあるため、特許文献１に使用済みの注射針を溶解処理する注射針溶解処理装置が提案されていた。
【０００３】
前記特許文献１の考案は、注射針を挿入して保持させるための開閉式の注射針グリップ（２０）と、前記注射針グリップに保持される注射針に対して直列対向状に配置されて注射針に当接する可動電極（３０）と、前記可動電極を注射針グリップの方へ弾性付勢する付勢手段（３４）と、前記注射針グリップと可動電極を介して注射針（２）に、それを溶解させる為の溶解電流を供給する電流供給手段とを備えたものである。
【先行技術文献】
【特許文献】
【０００４】
【特許文献１】実開平６−６６６６３号公報
【０００５】
前記特許文献１の考案によれば、使用済みの注射針を注射針グリップに挿入するだけで、スイッチ操作等により注射針を確実かつ容易に溶解処理することができる。そして、溶解時の熱により注射針の病原菌は殺菌されるため、注射針から感染するという事故の発生を防止することができるという効果を奏する。
【発明の概要】
【発明が解決しようとする課題】
【０００６】
前記特許文献１記載の発明において、構成が複雑であり操作も困難であるという問題点があった。本発明は、従来の欠点を除去したもので、注射針の保持手段に注射針を差し込んで下方に押し下げるだけで、自動的に注射針が先端から溶解していく、簡易な構造で扱いやすく安全な注射針溶解処理装置を提供することを目的とする。
【課題を解決するための手段】
【０００７】
請求項１に記載の発明は、ケース内部に設けた注射器を昇降自在に保持する注射器の保持手段と、注射器の注射針に接触して注射針を溶解する電極装置と、前記電極装置に注射針の溶解電流を供給する電流供給手段を備えた注射針溶解処理装置において、前記電極装置を第１電極ローラーと第２電極ローラーからなる一対の電極ローラーによって構成し、前記第１電極ローラーは、その表面が前記注射器の保持手段の挿通孔を通過して下降する注射針の下端が接触する位置に配置され、第２電極ローラーは、第１電極ローラーの側方下方に一定間隔を有し、注射針の下端が接触する位置に配置されていて、注射器を押し下げると、注射針は、第１電極ローラーと接触状態を保ちながら第２電極ローラーに接触すると共に第１電極ローラーと第２電極ローラーを回転させながら下降することを特徴とする注射針溶解処理装置。
【０００８】
請求項２に記載の発明は、前記一対の電極ローラーのそれぞれにギヤを取り付けて、このギヤを互いに噛合させた注射針溶解処理装置である。
【０００９】
請求項３に記載の発明は、前記一対の電極ローラーのギヤの一方又は両方に、ギヤの逆転防止機構を取り付けた注射針溶解処理装置である。
【００１０】
請求項４に記載の発明は、前記電極装置に注射針の溶解電流を供給する電流供給手段に過電流防止機構を設けた注射針溶解処理装置である。
【００１１】
請求項５に記載の発明は、ケース内部に設けた注射器の保持手段と、注射器の注射針に接触して注射針を溶解する電極装置と、前記電極装置に注射針の溶解電流を供給する電流供給手段を備えた注射針溶解処理装置において、前記注射器の保持手段が注射器を昇降可能に保持することを特徴とする注射針溶解処理装置である。
【発明の効果】
【００１２】
請求項１記載の注射針溶解処理装置によれば、電極装置を一対の電極ローラーによって構成したから、使用済みの注射針をスムーズに挿入することができ、かつ電極ローラーの回転によって注射針との接触が一点に集中しないため電極の消耗を軽減することができるため、注射針を確実かつ容易に溶解処理することができ、注射針からの感染という事故の発生を防止することができる等の効果を奏する。
【００１３】
請求項２に記載の注射針溶解処理装置発明によれば、前記一対の電極ローラーのそれぞれにギヤを取り付けて、このギヤを互いに噛合させたため、一対の電極ローラーの回転を一定にすることができる。
【００１４】
請求項３に記載の注射針溶解処理装置によれば、前記一対の電極ローラーのギヤの一方又に、ギヤの逆転防止機構を取り付けたため、注射針を抜くときのローラーの逆転を防止でき溶解動作をスムーズにする効果を奏する。
【００１５】
請求項４に記載の注射針溶解処理装置によれば、前記電極装置に注射針の溶解電流を供給する電流供給手段に過電流防止機構を設けたため、過電流を防止してヒューズ切れなどの事故を防止することができる。
【００１６】
請求項５に記載の注射針溶解処理装置によれば、前記注射器の保持手段が注射器を昇降可能に保持しているため、注射針を挿入して昇降板を下方に押し込まなければ溶解が行われないから、溶解時の火花が見えないという効果を奏する。
【図面の簡単な説明】
【００１７】
【図１】本発明の一実施形態の全体斜視図
【図２】本発明の一実施形態の全体斜視図
【図３】本発明の一実施形態の一部省略側面断面図
【図４】本発明の一実施形態の電極装置の斜視図
【図５】本発明の一実施形態の電極装置の側面図
【図６】本発明の一実施形態の使用状態を示す一部省略斜視図
【図７】本発明の一実施形態の使用状態を示す一部省略斜視図
【図８】本発明の一実施形態の使用状態を示す側面断面図
【図９】本発明の一実施形態の注射針を溶解する段階を示す要部拡大説明図
【発明を実施するための形態】
【００１８】
本発明に係る注射針溶解処理装置の一実施形態を図面に基いて説明する。
図１乃至図３に示すように、注射針溶解処理装置１は、病院等で使用される使用済みの注射針を使用後溶解処理する装置であり、直方体状のケース１０とケース１０内部上端に固定された注射針の保持手段２０と、この注射針の保持手段２０の底板に取り付けた電極装置３０と、この電極装置３０の下部に設けたダストボックス１２と電流供給手段１３等からなる。図中符号１７はコードである。
次にこの構成を詳細に説明する。
【００１９】
図３に示すように、注射針の保持手段２０は、円筒形の容器２１の上端に、注射針５２の注射針のホルダー５１を保持するための昇降板２２を設けてある。前記昇降板２２はホルダー５１を保持して容器２１内を昇降するもので、中央にホルダー固定用孔２３を設けてあり、底板２４の中央には注射針５２の挿通孔２５を穿設してなる。
容器２１の内部壁面には、昇降板２２と底板２４の間に、昇降板２２を常時上方に付勢するコイルスプリング２９を設けてある。
【００２０】
図４、図５に示すように、電極装置３０は、前記容器２１の底板２４の裏面に支持体２６を固定し、前記支持体２６に第１軸３１と第２軸３４を底板に平行に取り付け、この第１軸３１と第２軸３４の表面には、それぞれ第１電極ローラー３２と第２電極ローラー３５を構成したものである。
前記第１電極ローラー３２は、その表面が挿通孔２５を通過して下降する注射針５２の下端が接触する位置に配置され、第２電極ローラー３５は、第１電極ローラー３２の側方下方に一定間隔を有し、注射針５２の下端が接触する位置に配置されている。
また、前記第１電極ローラー３２は第２電極ローラー３５より小径であり、材質は共にカーボン製である。
【００２１】
前記第１電極ローラー３２の先端に第１ギヤ３３を、第２電極ローラー３５の先端に第２ギヤ３６をそれぞれ取り付け、これらの第１ギヤ３３、第２ギヤ３６を互いに噛合させると共に、第２ギヤ３６には逆転防止手段３７を設けてある。前記第１ギヤ３３は第２ギヤ３６より大径である。
前記第１ギヤ３３は第２ギヤ３６のギヤ比（径の大きさの比）は、同一または第１ギヤ３３が第２ギヤ３６より大径であれば、第２ギヤ３６と連動している第２電極ローラー３５の回転は第１電極ローラー３２の回転と比較して、同一または早く回転するため、注射針５２の挿入と溶解がスムーズに行われて、電極ローラー表面に付着した注射針の残存物が早く落下していくのである。  
【００２２】
この逆転防止手段３７は、前記底板２４に固定したアーム２７に端部を固定した長方形の金属片よりなり、その先端を第２ギヤ３６の表面に接触させて、第２ギヤ３６が正転（図５において反時計方向）する場合には作用しないが、逆転（同時計方向）した場合には逆転防止手段３７の先端が第２ギヤ３６の歯に当たり逆転が防止されるのである（図５参照）。
【００２３】
ダストボックス１２は溶解後の注射針の廃棄物を収容するもので上面が開放した構造で、前記電極装置３０下方に配置されていて、図２、図３に示すようにケース１０の前方から引き出し可能に構成してある。
【００２４】
前記ケース１０内の下部には、２個の電極ローラー３２、３５を介して注射針５２に溶解電流を供給する電流供給手段１３が設けられている。この電流供給手段１３は整流器や制御手段等からなり、そのプラス端子は図示しないケーブルを介して第１電極ローラー３２に接続され、またマイナス端子は図示しないケーブルを介して第２電極ローラー３５に接続されている。
図中符号１９はメインスイッチ、１１Ａは電源ランプ、１１Ｂは終了ランプ、１４はリミットスイッチである。
【００２５】
次に、注射針溶解処理装置１の作用について説明する。
図３に示すように、メインスイッチ１９をオンにすると電源ランプ１１Ａが点灯する。その後、図６に示すように使用済の注射針５２のホルダー５１を昇降板２２のホルダー固定用孔２３に挿入して固定する。
このときホルダー５１は、ホルダー固定用孔２３に挟持されて保持され、注射針５２の先端は挿通孔２５に挿通している。
【００２６】
次に、使用者が注射器５０を押し下げると、図７に示すように昇降板２２はコイルスプリング２９の弾性力に抗して下降していき、注射針５２の先端は電極装置３０の第１電極ローラー３２と接触する（図９（Ａ））。  
【００２７】
さらに注射器５０を押し下げると、注射針５２は第１電極ローラー３２と接触状態を保ちながら下降して、第２電極ローラー３５に接触する（図９（Ｂ））。この接触により第２電極ローラー３５を注射針５２でショートさせることになり、注射針５２は約１秒で溶解するのである。
このとき注射針５２は下端から溶解が進行し、昇降板２２が停止するまで注射針５２の溶解が進行していく（図９（Ｃ））。そして溶解された金属片は、ダストボックス１２へ落下していく。
【００２８】
昇降板２２が最下端まで下がると、リミットスイッチ１４がオンとなり電流の供給が止まり終了ランプ１１Ｂが点灯する。
その後注射器５０を昇降板２２の上昇と共に持ち上げて引き抜き、注射針５２を外して捨ててメインスイッチ１１Ａをオフにする。
【００２９】
このとき注射針５２は殺菌されかつ再利用ができなくなり、またその先端は鋭利でなくなり丸い形状となっているため安全である。
その後ダストボックス１２を引き出して廃棄物を捨てればよい。なお、ダストボックス１２は、ケース１０の表面よりわずかに突出していて、突出した部分を押し込むと、ダストボックス１２がケース１０の手前に飛び出ることによりダストボックス用のリミットスイッチ１２ａがオフになり自動的に電源が切れる仕組みであり、ダストボックス１２を取り出す時には注射針５２の溶解は行われないため安全である。
【００３０】
上述のように、本実施形態では使用済みの注射針５２を昇降板２２のホルダーの固定用孔２３に挿入し、注射器５０を押し下げるだけで使用済みの注射針５２を簡単かつ確実に溶解処理することができ、注射針５２を注射器５０よりとり外す時も安全である。
したがって使用済みの注射針５２を誤って手や指等に刺すなどの事故を確実に防止できるのである。また、注射針５２の長さが、１/５程度になるので廃棄量も削減でき環境問題の改善につながる。
【００３１】
また、第２電極ローラー３５の第２ギヤ３６に、ギヤの逆転防止機構３７を取り付けたため、電極ローラーに残っている注射針の溶解残存物が、注射針を抜くときに電極ローラーが逆転して電極間に詰まり電極ローラーがロックして溶解動作が悪くなったりあるいはヒューズが切れる等の事故が防げる。なお、ギヤの逆転防止機構３７は、第１電極ローラー３２の第１ギヤ３３に取り付けることもできる。
【００３２】
前記電極装置３０に注射針の溶解電流を供給する電流供給手段のトランス内のコイルにサーマルプロテクタ（図示せず）を追加して過電流防止機構としたため、過電流を防止してヒューズ切れなどの事故を防止することができる。
【００３３】
また、昇降板２２によって注射器５０は安定保持されて下降していき下方位置で溶解が行われるため、注射針５２の溶解時に火花が発生した場合にも、この火花が見えずあるいは火花がホルダーの固定用孔２３からもれて使用者を傷つける恐れはない。
さらに、事故発生による労働時間の損失抑制、医療サービスの質の向上、医療機関の社会的責任向上等の効果を奏する。
【符号の説明】
【００３４】
１  注射針溶解処理装置          １０  ケース
２０  保持手段                    ３０  電極装置
１２  ダストボックス              １３  電流供給手段
２１  容器                        ２２  昇降板
２３  ホルダーの固定用孔          ２４  底板
２５  注射針の挿通孔              ２９  コイルスプリング
３２  第１電極ローラー            ３５  第２電極ローラー
３３  第１ギヤ                    ３６  第２ギヤ
３７  逆転防止手段                ５０  注射器
５１  注射針のホルダー            ５２  注射針
【要約】
【課題】  注射針の保持手段に注射針を差し込んで下方に押し下げるだけで、自動的に注射針が先端から溶解していく、簡易な構造で扱いやすく安全な注射針溶解処理装置を提供する。
【解決手段】  ケース内部に設けた注射器の保持手段と、注射器の注射針に接触して注射針を溶解する電極装置と、前記電極装置に注射針の溶解電流を供給する電流供給手段を備えた注射針溶解処理装置において、前記電極装置３０を一対の電極ローラー３２、３５によって構成し、前記一対の電極ローラーのそれぞれにギヤ３３、３６を取り付けた注射針溶解処理装置。
【選択図】図３【図１】
0005467666.tif 000002
【図２】
0005467666.tif 000003
【図３】
0005467666.tif 000004
【図４】
0005467666.tif 000005
【図５】
0005467666.tif 000006
【図６】
0005467666.tif 000007
【図７】
0005467666.tif 000008
【図８】
0005467666.tif 000009
【図９】
0005467666.tif 000010